(57)【要約】【課題】コンパクトな磁気健康具を実現できる変動磁場発生装置を提供する。【解決手段】外周面の径方向対称位置の２箇所に異なる磁極を形成した回転磁石１と、回転磁石１の半周外周面に互いに対称姿勢で磁極発生端を上記外周面に対向させて設けた一対の電磁コイル３Ａ，３Ｂとを具備し、電磁コイル３Ａ，３Ｂに交互に通電して通電毎に回転磁石１を所定位置へ回転させるようにする。【選択図】        図１
2004267353.tif 000002
【特許請求の範囲】
【請求項１】
外周面の周方向の複数箇所に交互に異なる磁極を形成した回転磁石と、前記回転磁石の周囲の複数位置に、磁極発生端を前記外周面に対向させて設けた電磁コイルとを具備し、前記電磁コイルに交互に通電して通電毎に前記回転磁石を所定位置へ回転させるようにした変動磁場発生装置。
【請求項２】
前記電磁コイルを一対設けて、これら電磁コイルを前記回転磁石の半周外周面に互いに対称姿勢で対向させた請求項１に記載の変動磁場発生装置。
【請求項３】
前記電磁コイルの磁界が作用していないときに前記回転磁石を所定の磁気安定位置へ回転させる軟磁性材の位置決め部材を設けた請求項１又は２に記載の変動磁場発生装置。
【請求項４】
前記回転磁石は径方向の対称位置に互いに異なる磁極を形成したものであり、前記位置決め部材は前記回転磁石の回転軸方向の端面と略平行に当該回転軸を通って延びる棒体である請求項３に記載の変動磁場発生装置。
【請求項５】
外周面の周方向の複数箇所に交互に異なる磁極を形成した回転磁石と、前記回転磁石の周囲の一箇所に、磁極発生端を前記外周面に対向させて設けた電磁コイルと、前記電磁コイルの磁界が作用していないときに前記回転磁石を所定の磁気安定位置へ回転させる軟磁性材の位置決め部材とを具備し、電磁コイルに通電して通電毎に前記回転磁石を一の磁気安定位置からこれ以外の所定位置へ回転させるようにした変動磁場発生装置。
【請求項６】
前記回転磁石を収納するケースを設けて、前記ケースを透光性樹脂材で成形した請求項１ないし５のいずれかに記載の変動磁場発生装置。
【請求項７】
前記回転磁石を、前記ケースの壁に設置した樹脂製、金属製、ないしセラミック製のリング状ないしフランジ状の軸受部材で支持するようにした請求項６に記載の変動磁場発生装置。
【発明の詳細な説明】
【０００１】
【発明の属する技術分野】
本発明は、交互に変化する磁界を人体に作用させて血行促進等を図る磁気健康具等に好適に使用できる変動磁場発生装置の構造改良に関する。
【０００２】
【従来の技術】
特許文献１〜３に示されるように、異なる複数の磁極が外周に着磁された回転磁石を間欠励磁される電磁コイルで回転させて、交互に変化する磁界を人体に作用させることにより血行促進等を図る磁気健康具の変動磁場発生装置が提案されている。
【特許文献１】実開昭６３−１８１４７
【特許文献２】特開平１０−１９２４２１
【特許文献３】特開２００２−２６３２０２
【０００３】
【発明が解決しようとする課題】
しかし、上記従来の変動磁場発生装置はいずれも、回転磁石を回転させるための電磁コイルが回転磁石を囲むように設けられており、このため、コイルの寸法を回転磁石よりも大きくする必要があって磁気健康具全体が大型化するという問題があった。
【０００４】
そこで本発明はこのような課題を解決するもので、コンパクトな磁気健康具を実現できる変動磁場発生装置を提供することを目的とする。
【０００５】
【課題を解決するための手段】
上記目的を達成するために、本第１発明では、外周面の周方向の複数箇所に交互に異なる磁極を形成した回転磁石（１）と、回転磁石（１）の周囲の複数位置に磁極発生端を上記外周面に対向させて設けた電磁コイル（３Ａ，３Ｂ）とを具備し、電磁コイル（３Ａ，３Ｂ）に交互に通電して通電毎に回転磁石（１）を所定位置へ回転させるようにする。ここで、回転磁石（１）の磁極形成部は外周面の径方向対称位置の２箇所とするのが好適である。また、電磁コイル（３Ａ，３Ｂ）を一対として、これら電磁コイルを回転磁石（１）の半周外周面に互いに対称姿勢で対向させると良い。
【０００６】
本第１発明において、電磁コイルに交互に通電して通電毎に回転磁石を所定位置へ回転させると、人体等の対象物に交互に異なる極性の磁界を作用させることができる。したがって、磁気健康具に使用すれば血行促進等の効果が得られる。本第１発明では、電磁コイルをその磁極発生端が回転磁石の外周面に対向するように設けているから、コイルの形状や寸法、配置等の自由度が向上し、変動磁場発生装置を小型化してこれを使用した磁気健康具等をコンパクトなものにすることができる。
【０００７】
本第２発明では、電磁コイル（３Ａ，３Ｂ）の磁界が作用していないときに回転磁石（１）を所定の磁気安定位置へ回転させる軟磁性材の位置決め部材（４）を設ける。この場合、回転磁石（１）を、径方向の対称位置に互いに異なる磁極を形成したものとし、位置決め部材（４）を、回転磁石（１）の回転軸方向の端面（１ａ）と略平行に当該回転軸を通って延びる棒体とすると良い。
【０００８】
本第２発明においては、本第１発明の作用効果に加えて、回転磁石を回転させる時だけ電磁コイルに通電すればよいから電源負担が軽くなるとともに、位置決め部材によって回転磁石の磁極を確実に人体等の対象物に正対させることができるから、対象物に対する効率的な磁界作用が実現される。
【０００９】
本第３発明では、外周面の周方向の複数箇所に交互に異なる磁極を形成した回転磁石（１）と、回転磁石（１）の周囲の一箇所に磁極発生端を上記外周面に対向させて設けた電磁コイル（３）と、電磁コイル（３）の磁界が作用していないときに回転磁石（１）を所定の磁気安定位置へ回転させる軟磁性材の位置決め部材（４）とを具備し、電磁コイル（３）に通電して通電毎に回転磁石（１）を一の磁気安定位置からこれ以外の所定位置へ回転させるようにする。なお、上記「所定位置」には、他の磁気安定位置が含まれる。本第３発明においては、本第２発明の作用効果に加えて、電磁コイルが一つで良いから、通電回路が簡素化されるのと相俟って変動磁場発生装置を使用した磁気健康具等がさらにコンパクト化される。
【００１０】
本第４発明では、上記回転磁石（１）を収納するケース（２）を設けて、ケース（２）を透光性樹脂材で成形する。透光性樹脂材としては、透明ＡＢＳ、アクリル、ポリカーボネート等が使用できる。本第４発明によれば、特に視認用の窓をケースに設けなくても、回転磁石の回転を容易に確認することができる。
【００１１】
本第５発明では、上記回転磁石（１）を、ケース（２）の壁に設置した樹脂製、金属製、ないしセラミック製のリング状ないしフランジ状の軸受部材で支持するようにする。本第５発明によれば、回転磁石の回転動作音を有効に減少させることができる。
【００１２】
なお、上記カッコ内の符号は、後述する実施形態に記載の具体的手段との対応関係を示すものである。
【００１３】
【発明の実施の形態】
（第１実施形態）
図１〜図３には本発明の変動磁場発生装置を磁気健康具に適用した場合の一実施形態を示し、図１はその垂直横断面図、図２はその垂直縦断面図、図３はその水平断面図である。なお、磁気健康具内には変動磁場発生装置以外に、当該変動磁場発生装置の電磁コイルへの通電回路や電源用電池等が設けられるが、これらは公知であるので説明を省略する。
【００１４】
上記各図において、回転磁石１は円柱体で、その両端面中心に突設された軸体１１が磁気健康具の樹脂製ケース２の側壁２１に回転可能に支持されている（図２）。この場合、樹脂製、金属製、ないしセラミック製のリング状ないしフランジ状の軸受部材を側壁２１内に設置して、当該軸受部材で回転磁石１の軸体１１を支持するようにすれば、回転磁石１の回転動作音を有効に減少させることができる。なお、本実施形態ではケース２の樹脂材として透明ＡＢＳ、アクリル、ポリカーボネート等の透光性のものを使用している。したがって、特に視認用の窓をケース２に設けなくても、ケース２外から回転磁石１の回転を容易に確認することができる。回転磁石１は外周の各半部がＮ極とＳ極に着磁されており（Ｎ極を斜線で示す）、磁極位置にマーク等を着けておけば、回転磁石１の回転を透光性のケース２外から容易に確認することができる。回転磁石１周囲のケース壁は頂壁２２が薄肉となって、当該頂壁２２が人体Ｍに貼着される。ケース２の底壁２３内面は横断面の左右位置（図１）が凹陥させられてコイル収納部２３１となっており、これらコイル収納部２３１内に電磁コイル３Ａ，３Ｂが配設されている。各電磁コイル３Ａ，３Ｂは環状に巻回されたコイルの中心軸Ａｘ（図１）が回転磁石１の回転中心Ｃで交差するように配置させられて回転磁石１の外周面に対向している。本実施形態では、各電磁コイル３Ａ，３Ｂはその中心軸Ａｘがケース横断面の中央線Ｃｘに対して左右に４５°の角度をなして、互いに対称姿勢で傾斜させられている。
【００１５】
このような構造の変動磁場発生装置において、電磁コイル３Ａに通電して当該電磁コイル３Ａの回転磁石１外周面に対向する側にＮ極を生じさせると、図１に示すように、回転磁石１は外周のＳ極着磁部が電磁コイル３Ａに吸引されてこれに最も近接する位置へ回転させられる。この状態では人体ＭにはＮ極着磁部が接近してＮ極磁界が作用する。一定時間経過後に電磁コイル３Ａに代えて電磁コイル３Ｂに通電して当該電磁コイル３Ｂの回転磁石１外周面に対向する側にＳ極を生じさせると、図４に示すように、回転磁石１は外周のＮ極着磁部が電磁コイル３Ｂに吸引されてこれに最も近接する位置へ回転させられる。この状態では人体ＭにはＳ極着磁部が接近してＳ極磁界が作用する。このようにして、一定周期で交互に電磁コイル３Ａ，３Ｂに通電して人体Ｍに交互に異なる極性の磁界を作用させることにより、血行を促進する等の効果が得られる。
【００１６】
本実施形態では電磁コイル３Ａ，３Ｂをその磁極発生端を回転磁石１の外周面に対向させて設けているから、コイルの形状や寸法、配置等の自由度が向上し、変動磁場発生装置を小型化して磁気健康具全体をコンパクトなものにできる。また、コイルの線径を細くして巻き数を多くすることにより、磁力を同程度にしつつ電磁コイル３Ａ，３Ｂの消費電力を下げて、電池の寿命延長を図ることも容易にできる。
【００１７】
（第２実施形態）
図５ないし図７には磁気健康具の変動磁場発生装置の他の実施形態を示し、図５はその垂直横断面図、図６はその垂直縦断面図、図７はその水平断面図である。本実施形態では第１実施形態の構造に加えて位置決め部材４が設けられている。位置決め部材４は軟磁性材たる鉄材の棒体で、回転磁石１の軸体１１を支持するケース側壁２１内に埋設されている。位置決め部材４は回転磁石１の回転軸を通って回転磁石１の端面１ａと平行に上下方向へ延びている。
【００１８】
このような位置決め部材４を設けたことにより、電磁コイル３Ａ，３Ｂのいずれにも通電していない状態では回転磁石１はＮ極着磁部とＳ極着磁部が上下方向に位置する上記各図に示す磁気安定位置に回転させられる。なお、各図ではＮ極着磁部が上方にある。この状態から電磁コイル３Ｂに通電して当該電磁コイル３Ｂの回転磁石１外周面に対向する側にＳ極を生じさせると、図８（Ａ）に示すように、回転磁石１は外周のＮ極着磁部が電磁コイル３Ｂに吸引されてこれに最も近接する位置へ回転させられる（矢印）。その後、電磁コイル３Ｂへの通電を停止すると、回転磁石１は磁気安定位置へ回転させられて、Ｎ極着磁部が下方位置に、Ｓ極着磁部が上方位置に至って（図８（Ｂ））、人体にＳ極磁界が作用する。
【００１９】
一定時間経過後に電磁コイル３Ａに通電して当該電磁コイルの回転磁石１外周面に対向する側にＮ極を生じさせると、図８（Ｃ）に示すように、回転磁石１は外周のＳ極着磁部が電磁コイル３Ａに吸引されてこれに最も近接する位置へ回転させられる（矢印）。その後、電磁コイル３Ａへの通電を停止すると、回転磁石１は磁気安定位置に回転させられて、Ｓ極着磁部が下方位置に、Ｎ極着磁部が上方位置に至って（図８（Ｄ））、人体にＮ極磁界が作用する。以下、一定時間経過毎に図８（Ａ）からの上記作動を繰り返す。本実施形態では、回転磁石１を回転させる時だけ電磁コイル３Ａ，３Ｂに通電すればよいから電池寿命を延長することができる。また、回転磁石１の各着磁部が正確に上方へ位置決めされて人体に正対させられるから、人体に対する磁界の作用が効率的になされる。
【００２０】
（第３実施形態）
図９は磁気健康具の変動磁場発生装置のさらに他の例を示す概略構成図である。本実施形態では電磁コイル３をコイル中心軸Ａｘが回転磁石１の回転中心Ｃを通って水平になるようにして一個だけ設ける。また、第２実施形態と同様の位置決め部材４が設けられている。
【００２１】
図９（Ａ）に示す電磁コイル３に通電していない状態では回転磁石１はＮ極着磁部とＳ極着磁部が上下方向に位置する磁気安定位置に回転させられる。なお、上図ではＳ極着磁部が上方にある。この状態から電磁コイル３に通電して当該電磁コイル３の回転磁石１外周面に対向する側にＮ極を生じさせると、図９（Ｂ）に示ように、回転磁石１は外周のＳ極着磁部が電磁コイル３に吸引されてこれに最も近接する位置へ回転させられる（矢印）。この直後に電磁コイル３への通電を停止しても回転磁石１は慣性によって磁気安定位置まで回転し、Ｓ極着磁部が下方位置に、Ｎ極着磁部が上方位置に至って（図９（Ｃ））、人体にＮ極磁界が作用する。
【００２２】
一定時間経過後に電磁コイル３に通電して当該電磁コイル３の回転磁石１外周面に対向する側に再びＮ極を生じさせると、図９（Ｄ）に示すように、回転磁石１は外周のＳ極着磁部が電磁コイル３に吸引されてこれに最も近接する位置へ回転させられる（矢印）。この直後に電磁コイル３への通電を停止しても回転磁石１は慣性によって磁気安定位置まで回転し、Ｓ極着磁部が上方位置に、Ｎ極着磁部が下方位置に至って（図１０（Ａ））、人体にＳ極磁界が作用する。以下、一定時間経過毎に上記作動を繰り返す。本実施形態では、回転磁石１の各着磁部が人体に正対させられるから人体に対する磁界の作用が効率的になされるとともに、電磁コイル３が一つで良いから、通電回路が簡素化されるのと相俟って磁気健康具がさらにコンパクト化される。
【００２３】
【発明の効果】
以上のように、本発明の変動磁場発生装置によれば、コンパクトな磁気健康具を実現することができる。
【図面の簡単な説明】
【図１】本発明の第１実施形態における、変動磁場発生装置の垂直横断面図である。
【図２】変動磁場発生装置の垂直縦断面図である。
【図３】変動磁場発生装置の水平断面図である。
【図４】変動磁場発生装置の垂直横断面図である。
【図５】本発明の第２実施形態における、変動磁場発生装置の垂直横断面図である。
【図６】変動磁場発生装置の垂直縦断面図である。
【図７】変動磁場発生装置の水平断面図である。
【図８】変動磁場発生装置の作動を示す概略構成図である。
【図９】本発明の第３実施形態における、変動磁場発生装置の作動を示す概略構成図である。
【符号の説明】
１…回転磁石、１ａ…端面、２…ケース、３，３Ａ，３Ｂ…電磁コイル、４…位置決め部材。
【図１】
2004267353.tif 000003
【図２】
2004267353.tif 000004
【図３】
2004267353.tif 000005
【図４】
2004267353.tif 000006
【図５】
2004267353.tif 000007
【図６】
2004267353.tif 000008
【図７】
2004267353.tif 000009
【図８】
2004267353.tif 000010
【図９】
2004267353.tif 000011